(57)【要約】【課題】印刷模様１２１と表示模様２２１とが互いに重なり合うように配置しながら、表示画面保護シート１１０を表示画面２２０上に取り付けることができること。【解決手段】本発明の実施の形態における表示画面保護シートセット１００は、携帯端末２００（電子装置）の表示画面２２０に表示画面保護シート１１０を貼り付けるためのものである。表示画面保護シートセット１００は、表示画面保護シート１１０と、位置合わせシート１２０とを備えている。表示画面保護シート１１０は、携帯端末２００の表示画面２２０の形状に対応するように形成されている。位置合わせシート１２０は、表示画面保護シート１１０の一方の面上に取り付けられ、携帯端末２００の表示画面２２０に表示される所定の表示模様２２１と同一形状の印刷模様１２１が印刷されている。【選択図】      図１
2015019239.tif 000002
【特許請求の範囲】
【請求項１】
電子装置の表示画面に表示画面保護シートを貼り付けるための表示画面保護シートセットであって、
前記電子装置の表示画面の形状に対応するように形成された表示画面保護シートと、
前記表示画面保護シートの一方の面上に取り付けられ、前記電子装置の表示画面に表示される所定の表示模様に対応する形状の印刷模様が印刷された位置合わせシートとを備えた表示画面保護シートセット。
【請求項２】
前記所定の表示模様および前記印刷模様は、同一形状の模様である請求項１に記載の表示画面保護シートセット。
【請求項３】
前記所定の表示模様および前記印刷模様は、格子状の模様である請求項２に記載の表示画面保護シートセット。
【請求項４】
前記表示画面保護シートの他方の面上に取り付けられた粘着シートを備えた請求項１〜３のいずれか１項に記載の表示画面保護シートセット。
【請求項５】
電子装置の表示画面に表示画面保護シートを貼り付けるための表示画面保護シートセットの製造方法であって、
前記電子装置の表示画面の形状に対応するように表示画面保護シートを形成する表示画面保護シート形成ステップと、
前記電子装置の表示画面に表示される所定の表示模様に対応する形状の印刷模様を位置合わせシートに印刷する印刷ステップと、
前記印刷ステップで印刷された前記位置合わせシートを前記表示画面保護シートの一方の面上に取り付ける位置合わせシート取り付けステップとを含む表示画面保護シートセットの製造方法。
【請求項６】
電子装置の表示画面に表示画面保護シートを貼り付ける表示画面保護シートの取り付け方法であって、
前記表示画面保護シートは、前記電子装置の表示画面の形状に対応するように形成され、
前記表示画面保護シートの一方の面上には、前記電子装置の表示画面に表示される所定の表示模様に対応する形状の模様である所定の印刷模様が印刷された位置合わせシートが取り付けられており、
前記電子装置の表示画面に前記所定の表示模様を表示する表示ステップと、
前記位置合わせシートに印刷された前記印刷模様を、前記所定の表示模様に合わせる位置合わせを行いながら、前記表示画面保護シートを前記表示画面上に貼り付ける貼り付けステップとを含む表示画面保護シート貼り付け方法。
【発明の詳細な説明】
【技術分野】
【０００１】
本発明は、例えば表示画面保護シートを電子装置の表示画面上に貼り付けるための表示画面保護シートセット等に関する。
【背景技術】
【０００２】
近年、携帯情報端末などの携帯端末の表示画面が、表示内容の多様化等の理由により、大型化する傾向にある。また、このような大型化された表示画面は、タッチパネルとともに携帯端末の表面に露出するように配置される傾向にある。
【０００３】
このため、携帯端末の表示画面を保護するための表示画面保護シートを表示画面上に取り付けることにより、携帯端末の表示画面に汚れや傷がつくことを抑止する技術が、普及してきている。
【０００４】
本発明に関連する技術が、例えば、特許文献１に記載されている。特許文献１には、携帯端末用保護シートに関する技術として、携帯端末の表示画面（情報表示部）に対応する透過領域と、表示画面に表示される画像と一体となって１つの全体画像を形成する画像領域とを有するシートが、開示されている。
【先行技術文献】
【特許文献】
【０００５】
【特許文献１】実用新案登録３１７２６３３号公報
【発明の概要】
【発明が解決しようとする課題】
【０００６】
しかしながら、表示画面保護シートを携帯端末の表示画面に取り付ける際に、表示画面保護シートと表示画面との間に位置ずれが生じてしまうという問題があった。
【０００７】
本発明は、このような事情を鑑みてなされたものであり、表示画面保護シートを携帯端末の表示画面上の正確な位置に取り付けることができる表示画面保護シートセット等を提供する。
【課題を解決するための手段】
【０００８】
本発明の表示画面保護シートセットは、電子装置の表示画面に表示画面保護シートを貼り付けるための表示画面保護シートセットであって、前記電子装置の表示画面の形状に対応するように形成された表示画面保護シートと、前記表示画面保護シートの一方の面上に取り付けられ、前記電子装置の表示画面に表示される所定の表示模様に対応する形状の印刷模様が印刷された位置合わせシートとを備えている。
【０００９】
また、本発明の表示画面保護シートセットの製造方法は、電子装置の表示画面に表示画面保護シートを貼り付けるための表示画面保護シートセットの製造方法であって、前記電子装置の表示画面の形状に対応するように表示画面保護シートを形成する表示画面保護シート形成ステップと、前記電子装置の表示画面に表示される所定の表示模様に対応する形状の印刷模様を位置合わせシートに印刷する印刷ステップと、前記印刷ステップで印刷された前記位置合わせシートを前記表示画面保護シートの一方の面上に取り付ける位置合わせシート取り付けステップとを含んでいる。
【００１０】
また、本発明の表示画面保護シートの取り付け方法は、電子装置の表示画面に表示画面保護シートを貼り付ける表示画面保護シートの取り付け方法であって、前記表示画面保護シートは、前記電子装置の表示画面の形状に対応するように形成され、前記表示画面保護シートの一方の面上には、前記電子装置の表示画面に表示される所定の表示模様に対応する形状の模様である所定の印刷模様が印刷された位置合わせシートが取り付けられており、前記電子装置の表示画面に前記所定の表示模様を表示する表示ステップと、前記位置合わせシートに印刷された前記印刷模様を、前記所定の表示模様に合わせる位置合わせを行いながら、前記表示画面保護シートを前記表示画面上に貼り付ける貼り付けステップとを含んでいる。
【発明の効果】
【００１１】
本発明にかかる技術によれば、表示画面保護シートを電子装置の表示画面上の正確な位置に取り付けることができる。
【図面の簡単な説明】
【００１２】
【図１】本発明の実施の形態における表示画面保護シートセットの構成を示す分解図である。
【図２】本発明の実施の形態における表示画面保護シートセットの側面断面図である。
【図３】携帯端末の正面斜視図である。
【図４】本発明の実施の形態における表示画面保護シートセット中の印刷模様と、携帯端末の表示画面に表示される表示模様の関係を示す斜視図である。
【図５】本発明の実施の形態における表示画面保護シートセットの製造工程を示すフロー図である。
【図６】本発明の実施の形態における表示画面保護シートを携帯端末の表示画面に取り付ける方法を示すフロー図である。
【発明を実施するための形態】
【００１３】
＜実施の形態＞
本発明の実施の形態における表示画面保護シートセット１００の構成について、図に基づいて説明する。
【００１４】
表示画面保護シートセット１００は、携帯端末の表示画面に表示画面保護シートを貼り付けるためのものである。そこで、まず、携帯端末２００の構成を図３に基づいて説明する。
【００１５】
図３に示されるように、携帯端末２００は、筐体２１０と、表示画面２２０と、操作部２３０とを有している。携帯端末２００は、本発明の電子装置に相当する。
【００１６】
筐体２１０は、例えば直方体状に形成されている。筐体２１０内には、電子基板や表示部などの電子部品が搭載されている。筐体２１０には、例えば、樹脂成型品が用いられる。
【００１７】
表示画面２２０は、筐体２１０内に搭載されている表示部の表面である。表示部には、例えば液晶表示装置や有機ＥＬ表示装置などが用いられる。表示画面２２０は、例えば矩形状に形成されている。表示画面２２０は、筐体２１０の表面側の中央部に、露出するように、設けられている。表示画面２２０には、筐体２１０内に搭載された電子部品による制御によって、様々な文字や図形や模様を表示される。以下、表示画面に標示される模様を、表示模様２２１として説明する。図３は、所定の格子状の表示模様２２１を表示した例を示している。
【００１８】
操作部２３０は、筐体２１０の表面であって、表示画面２２０の近傍に設けられている。操作部２３０を人の指やペン先等で押圧することによって、筐体２１０内の電子部品に対して操作に関する信号が入力される。筐体２１０内の電子部品は、操作部２３０により入力される信号に基づいて、各種制御を行う。
【００１９】
以上、携帯端末２００の構成について説明した。
【００２０】
次に、表示画面保護シートセット１００の具体的な構成について、図１および図２を用いて説明する。
【００２１】
図１は、表示画面保護シートセット１００の構成を示す分解図である。図２は、表示画面保護シートセット１００の側面断面図である。なお、図２では、図の上側を各部材の表面側とし、図の下側を各部材の裏面側とする。
【００２２】
図１および図２に示されるように、表示画面保護シートセット１００は、表示画面保護シート１１０と、位置合わせシート１２０と、粘着シート１３０と、剥離シート１４０とを有する。なお、粘着シート１３０および剥離シート１４０は、必ずしも本発明に必須の構成ではない。
【００２３】
表示画面保護シート１１０は、携帯端末２００の表示画面２２０の形状に対応するように形成されている。ここでは、図２に示される携帯端末２００の表示画面２２０の形状に対応して、表示画面保護シート１１０の形状も矩形状に形成されているものとする。表示画面保護シート１１０の材料には、例えばポリエチレンテレフタレート（ＰＥＴ：Polyethylene terephthalate）が用いられる。
【００２４】
位置合わせシート１２０は、図１および図２に示されるように、表示画面保護シート１１０の表面に取り付けられる。位置合わせシート１２０の表面または裏面に所定の印刷模様１２１が印刷されている。また、位置合わせシートの裏面には、粘着層（不図示）が形成されている。この粘着層の材料には、例えば、天然ゴムや合成ゴムやアクリルなどが用いられる。粘着層は、表示画面保護シート１１０の表面に貼り付けやすくはがしやすい材料を用いるのが好ましい。
【００２５】
ここで、位置合わせシート１２０の印刷模様１２１と、携帯端末２００の表示画面２２０に表示される表示模様２２１の関係について、図４を用いて、詳しく説明する。
【００２６】
図４は、表示画面保護シートセット１００中の印刷模様１２１と、携帯端末２００の表示画面２２０に表示される表示模様２２１の関係を示す斜視図である。
【００２７】
図４に示されるように、所定の印刷模様１２１は、携帯端末２００の表示画面２２０に表示される所定の格子状の表示模様２２１と同一形状となるように、格子状に構成されている。図４に示されるように、所定の格子状の印刷模様１２１の各交点ａ、ｂ、ｃおよびｄは、所定の格子状の表示模様２２１の各交点Ａ、Ｂ、ＣおよびＤと互いに重なり合うように構成されている。
【００２８】
なお、印刷模様１２１と表示模様２２１は、互いに対応していれば、同一の模様である必要はない。例えば、印刷模様１２１を格子状の模様に構成するのに対して、表示模様２２１を印刷模様１２１の各交点ａ、ｂ、ｃおよびｄに対応する位置に配置された点状の模様に構成してもよい。また、印刷模様１２１または表示模様２２１は、格子状の模様に限らない。すなわち、位置合わせシート１２０に携帯端末２００の表示画面２２０に表示される表示模様２２１と互いに対応していれば、印刷模様１２１の模様を様々な形態としてもよい。
【００２９】
図１および図２に戻って、粘着シート１３０は、表示画面保護シート１１０の裏面に取り付けられる。粘着シート１３０の材料には、例えば、天然ゴムや合成ゴムやアクリルなどが用いられる。粘着シート１３０は、表示画面保護シート１１０の裏面に貼り付けた後、当該表示画面保護シート１３０から剥がれにくい材料を用いることが好ましい。併せて、粘着シート１３０は、表示画面２２０に貼り付けやすくはがしやすい材料を用いるのが好ましい。また、粘着シート１３０を表示画面２２０からはがした後に、粘着シート１３０に含まれる粘着剤が表示画面２２０の表面上に残らないような材料を、粘着シート１３０に用いるのが好ましい。
【００３０】
剥離シート１４０は、粘着シート１３０の裏面上に、取り付けられる。剥離シート１４０の表面には、粘着シート１３０からはがれやすくなるように、特殊な樹脂等がコーティングされている。
【００３１】
以上、表示画面保護シートセット１００の構成について説明した。
【００３２】
次に、表示画面保護シートセット１００の製造方法について、説明する。図５は、表示画面保護シートセット１００の製造工程を示すフロー図である。
【００３３】
図５に示されるように、まず、携帯端末２００の表示画面２２０の形状に対応するように、表示画面保護シート１１０を形成する（ステップ（以下、単にＳを称する）５０１）。Ｓ５０１の処理は、本発明の表示画面保護シート形成ステップに相当する。
【００３４】
次に、表示画面保護シート１１０の裏面に、粘着シート１３０および剥離シート１４０を取り付ける（Ｓ５０２）。図２に示されるように、粘着シート１３０が表示画面保護シート１１０の裏面と剥離シート１４０の間で狭持されるように、配置する。
【００３５】
次に、位置合わせシート１２０の表面または裏面に、所定の印刷模様１２１を印刷する（Ｓ５０３）。このとき、前述の通り、所定の印刷模様１２１が、携帯端末２００の表示画面２２０に表示される所定の格子状の表示模様２２１と同一形状となるように、格子状に設定する。Ｓ５０３の処理は、本発明の印刷ステップに相当する。
【００３６】
次に、位置合わせシート１２０の裏面を表示画面保護シート１１０の表面に取り付ける（Ｓ５０４）。Ｓ５０４の処理は、本発明の位置合わせシート取り付けステップに相当する。
【００３７】
以上の工程を経て、表示画面保護シートセット１００が完成する。
【００３８】
なお、前述では、Ｓ５０３およびＳ５０４の処理を、Ｓ５０２の処理の後に行うと説明した。しかしながら、Ｓ５０３およびＳ５０４の処理を、Ｓ５０２の処理の前に行ってもよい。またはＳ５０２およびＳ５０４の処理を同時に行ってもよい。
【００３９】
また、図５では、粘着シート１３０および剥離シート１４０が表示画面保護シートセット１００に設けられている場合について、説明している。一方、前述の通り、粘着シート１３０および剥離シート１４０は必ずしも表示画面保護シートセット１００に設けられていなくてもよい。この場合、Ｓ５０２の処理は行わない。
【００４０】
次に、表示画面保護シート１１０を携帯端末２００の表示画面２２０に取り付ける方法について説明する。図６は、表示画面保護シート１１０を携帯端末２００の表示画面２２０に取り付ける方法を示すフロー図である。
【００４１】
図６に示されるように、まず、携帯端末２００の表示画面２２０に所定の格子状の表示模様２２１を表示する（Ｓ６０１）。このとき、操作部２３０等の操作によって、予め記憶部（不図示）等に記憶されている所定の格子状の表示模様２２１を表示画面２２０に表示する。なお、所定の格子状の表示模様２２１は、携帯端末２００の記憶部（不図示）に記憶されていると説明したが、本発明ではこれに限定されない。操作部２３０等の操作によって、インターネット回線に接続されたサーバ等から所定の格子状の表示模様２２１をアプリケーションとしてダウンロードして、これを表示画面２２０に表示する。
【００４２】
次に、表示画面保護シート１１０を表示画面２２０上に貼り付ける（Ｓ６０２）。このとき、剥離シート１４０を粘着シート１３０から剥がした後、位置合わせシート１２０に印刷された印刷模様１２１を、所定の表示模様２２１に合わせる位置合わせを行いながら、表示画面保護シートを表示画面２２０上に貼り付ける。より具体的には、図４に示される所定の格子状の印刷模様１２１の各交点ａ、ｂ、ｃおよびｄと、所定の格子状の表示模様２２１の各交点Ａ、Ｂ、ＣおよびＤとを目印にして、表示画面保護シートを表示画面２２０上に貼り付ける。すなわち、所定の格子状の印刷模様１２１の各交点ａ、ｂ、ｃおよびｄを、所定の格子状の表示模様２２１の各交点Ａ、Ｂ、ＣおよびＤに、重なり合うように位置合わせを行いながら、表示画面保護シートを表示画面２２０上に貼り付ける。なお、Ｓ６０２は、本発明の貼り付けステップに相当する。
【００４３】
そして最後に、位置合わせシート１２０を表示画面保護シート１１０の表面から剥がす（Ｓ６０３）。
【００４４】
以上の工程を経て、表示画面保護シート１１０を携帯端末２００の表示画面２２０に取り付ける作業が終了する。
【００４５】
なお、図６では、粘着シート１３０および剥離シート１４０が表示画面保護シートセット１００に設けられている場合について、説明している。一方、前述の通り、粘着シート１３０および剥離シート１４０は必ずしも表示画面保護シートセット１００に設けられていなくてもよい。この場合、Ｓ６０２の処理では、別途、用意した液体状またはジェル状の粘着剤を表示画面保護シート１１０の裏面に塗布してから、表示画面保護シート１１０の裏面を表示画面２２０上に貼り付ける。あるいは、別途、用意した粘着シートを表示画面保護シート１１０に貼り付けた後に、表示画面保護シート１１０の裏面を表示画面２２０上に貼り付ける。
【００４６】
以上の通り、本発明の実施の形態における表示画面保護シートセット１００は、携帯端末２００（電子装置）の表示画面２２０に表示画面保護シート１１０を貼り付けるためのものである。表示画面保護シートセット１００は、表示画面保護シート１１０と、位置合わせシート１２０とを備えている。表示画面保護シート１１０は、携帯端末２００の表示画面２２０の形状に対応するように形成されている。位置合わせシート１２０は、表示画面保護シート１１０の一方の面上に取り付けられ、携帯端末２００の表示画面２２０に表示される所定の表示模様２２１に対応する形状の印刷模様１２１が印刷されている。
【００４７】
このように、位置合わせシート１２０の印刷模様１２１と、携帯端末２００の表示模様２２１は、互いに対応する模様である。そして、印刷模様１２１が印刷された位置合わせシート１２０は、表示画面保護シート１１０の一方の面上に取り付けられている。これにより、位置合わせシート１２０を表示画面保護シート１１０の上に取り付けた状態で、表示画面保護シート１２０を、表示画面２２０上に配置することができる。このため、印刷模様１２１と表示模様２２１とが互いに合わさるように配置しながら、表示画面保護シート１１０を表示画面２２０上に取り付けることができる。この結果、表示画面保護シート１２０を携帯端末２００の表示画面２２０上の正確な位置に取り付けることができる。また、印刷模様１２１と表示模様２２１を目印にすることができるので、表示画面保護シート１１０をより短時間で表示画面２２０上に取り付けることができる。したがって、表示画面保護シート１１０を表示画面２２０上に取り付ける間に、表示画面保護シート１２０が汚れてしまったり、表示画面保護シート１２０および表示画面２２０の表面の間に塵や埃が混入してしまったりすることを抑制できる。
【００４８】
また、本発明の実施の形態における表示画面保護シートセット１００において、所定の表示模様２２１および印刷模様１２１は、同一形状の模様である。これにより、印刷模様１２１と表示模様２２１とが互いに重なり合うように配置しながら、表示画面保護シート１１０を表示画面２２０上に取り付けることができる。この結果、表示画面保護シート１２０を携帯端末２００の表示画面２２０上の正確な位置に取り付けることができる。
【００４９】
また、本発明の実施の形態における表示画面保護シートセット１００において、所定の表示模様２２１および印刷模様１２１は、格子状の模様である。これにより、表示模様２２１および印刷模様１２１を重ね合わせやすくなる。この結果、表示画面保護シート１２０を携帯端末２００の表示画面２２０上の正確な位置により効率よく取り付けることができる。
【００５０】
本発明の実施の形態における表示画面保護シートセット１００は、表示画面保護シート１１０の他方の面上に取り付けられた粘着シート１４０を備えている。これにより、別途、粘着剤等を表示画面保護シート１１０の裏面に塗布するなどの作業を要することなく、表示画面保護シート１１０を表示画面２２０上に取り付けることができる。
【００５１】
本発明の実施の形態における表示画面保護シートセット１００の製造方法は、携帯端末２２０（電子装置）の表示画面２２０に表示画面保護シート１１０を貼り付けるための方法である。表示画面保護シートセット１００の製造方法は、表示画面保護シート形成ステップと、印刷ステップと、位置合わせシート取り付けステップとを含んでいる。表示画面保護シート形成ステップでは、携帯端末２００の表示画面２２０の形状に対応するように表示画面保護シート１１０を形成する。印刷ステップでは、携帯端末２２０の表示画面２２０に表示される所定の表示模様２２１に対応する形状の印刷模様１２１を位置合わせシート１２０に印刷する。位置合わせシート取り付けステップでは、印刷ステップで印刷された位置合わせシート１２０を表示画面保護シート１１０の一方の面上に取り付ける。
【００５２】
このように、表示画面保護シートセット１００の製造方法では、携帯端末２２０の表示画面２２０に表示される所定の表示模様２２１と同一形状の印刷模様１２１を位置合わせシート１２０に印刷して、印刷模様１２１が印刷された位置合わせシート１２０を表示画面保護シート１１０の一方の面上に取り付けている。この製造方法によって得られる表示画面保護シートセット１００は、上述した内容と同様の効果を奏する。
【００５３】
本発明の実施の形態における表示画面保護シート貼り付け方法は、携帯端末２００（電子装置）の表示画面２２０に表示画面保護シート１１０を貼り付ける方法である。表示画面保護シート貼り付け方法では、表示画面保護シート１１０は、携帯端末２００の表示画面２２０の形状に対応するように形成されている。また、表示画面保護シート１１０の一方の面上には、携帯端末２００の表示画面２２０に表示される所定の表示模様２２１に対応する形状の模様である所定の印刷模様１２１が印刷された位置合わせシート１２０が取り付けられている。また、表示画面保護シート貼り付け方法は、表示ステップと、貼り付けステップとを含んでいる。表示ステップでは、携帯端末２００の表示画面２２０に所定の表示模様を表示する。貼り付けステップでは、位置合わせシート１２０に印刷された印刷模様１２１を、所定の表示模様２２１に合わせる位置合わせを行いながら、表示画面保護シート１１０を表示画面２２０上に貼り付ける。
【００５４】
このように、表示画面保護シート貼り付け方法では、前述した位置合わせシートセット１１０に相当する部材を用いて、携帯端末２００の表示画面２２０に表示画面保護シート１１０を貼り付ける。このため、表示画面保護シート貼り付け方法によっても、上述した内容と同様の効果を奏する。
【００５５】
なお、前記実施の形態では、表示画面保護シート１２０を携帯端末２００の表示画面２２０に取り付ける例を説明した。一方、携帯端末の表示画面に限らず、テレビやパーソナルパソコンなどの表示画面に、表示画面保護シートを取り付ける例にも、本発明の適用することができる。
【００５６】
以上、実施の形態をもとに本発明を説明した。実施の形態は例示であり、本発明の主旨から逸脱しない限り、上述各実施の形態に対して、さまざまな変更、増減、組合せを加えてもよい。これらの変更、増減、組合せが加えられた変形例も本発明の範囲にあることは当業者に理解されるところである。
【符号の説明】
【００５７】
１００    表示画面保護シートセット
１１０    表示画面保護シート
１２０    位置合わせシート
１２１    所定の格子状の印刷模様
１３０    粘着シート
１４０    剥離シート
２００携帯端末
２１０    筐体
２２０    表示画面
２２１    所定の格子状の表示模様
２３０    操作部
【図１】
2015019239.tif 000003
【図２】
2015019239.tif 000004
【図３】
2015019239.tif 000005
【図４】
2015019239.tif 000006
【図５】
2015019239.tif 000007
【図６】
2015019239.tif 000008